(57)【要約】【課題】光路折り曲げミラーがなくても成立する小型で安価な光ピックアップ装置及び光ディスク装置を提供することを目的とする。【解決手段】光ピックアップ装置３０は、レーザ光の一部を透過する立ち上げミラー６と、立ち上げミラー６を透過したレーザ光を検出する光量制御用光検出器９と、を備える。基台１０は所定の貫通領域１０ｂを持つ貫通部１０ａを有する。光源１は貫通部１０ａの貫通領域１０ｂの外側に配置され、対物レンズ駆動装置１１は貫通部１０ａの貫通領域１０ｂ内に配置される。対物レンズ７は対物レンズ駆動装置１１により貫通部１０ａの貫通領域１０ｂ上で保持される。貫通部１０ａは、対物レンズ７の下方領域で貫通部１０ａを横断する梁部１０ｃを有し、立ち上げミラー６及び光量制御用光検出器９は梁部１０ｃに配置されている。【選択図】図１
2008198258.tif 000002
【特許請求の範囲】
【請求項１】
レーザ光の光源と、
前記レーザ光を光ディスクに集束させる対物レンズと、
前記対物レンズを前記光ディスクに対して駆動する駆動手段と、
前記レーザ光の向きを前記対物レンズに向けて変えると共に前記レーザ光の一部を透過する立ち上げミラーと、
前記光源の光量を制御するために前記立ち上げミラーを透過したレーザ光を検出する検出手段と、
前記光源、前記対物レンズ、前記駆動手段、前記立ち上げミラー、及び前記検出手段を配置する基台と、を備え、
前記基台は所定の貫通領域を持つ貫通部を有し、
前記光源は前記貫通部の貫通領域の外側に配置され、前記駆動手段は前記貫通部の貫通領域内に配置され、前記対物レンズは前記駆動手段により前記貫通部の貫通領域上で保持され、
前記貫通部は、前記対物レンズの下方領域で前記貫通部を横断する梁部を有し、前記立ち上げミラー及び前記検出手段は前記梁部に配置されていることを特徴とする光ピックアップ装置。
【請求項２】
前記梁部は、その中央部分から前記光源の側に垂直方向に延びた延長片を有し、前記中央部分に前記検出手段の取付部を有し、前記延長片の先端に前記立ち上げミラーの取付部を有することを特徴とする請求項１記載の光ピックアップ装置。
【請求項３】
前記駆動手段は、前記対物レンズを固定するホルダと、前記ホルダを一端で弾性支持する弾性部材と、前記弾性部材の他端を保持する保持部材とを備え、前記検出手段は、前記立ち上げミラーと前記保持部材との間に配置されたことを特徴とする請求項１記載の光ピックアップ装置。
【請求項４】
前記検出手段の前記レーザ光を検出する面は前記光ディスクに対してほぼ直角な方向であることを特徴とする請求項１記載の光ピックアップ装置。
【請求項５】
前記光源と前記立ち上げミラーとの間の光路上に配置され前記レーザ光をほぼ平行光にするコリメートレンズを備え、前記検出手段には前記平行光であるレーザ光が入射することを特徴とする請求項１記載の光ピックアップ装置。
【請求項６】
前記貫通部の外側から前記検出手段に接続されるフレキシブルプリント基板を備え、前記フレキシブルプリント基板は、前記梁部を経由して接続されるとともに、前記梁部において前記梁部の前記光ディスク側の面と前記弾性部材との間に配置されたことを特徴とする請求項３記載の光ピックアップ装置。
【請求項７】
前記梁部はスリットを有し、前記フレキシブルプリント基板の端部を前記スリットに挿入することで前記光ディスクと直角な方向に前記フレキシブルプリント基板が移動するのを規制することを特徴とする請求項６記載の光ピックアップ装置。
【請求項８】
前記立ち上げミラーの前記レーザ光を透過する透過率は４％以上、８％以下であることを特徴とする請求項１記載の光ピックアップ装置。
【請求項９】
前記光源、前記立ち上げミラー及び前記検出手段は、ほぼ１直線上に配置されたことを特徴とする請求項１記載の光ピックアップ装置。
【請求項１０】
レーザ光の光源と、
前記レーザ光を光ディスクに集束させる対物レンズと、
前記対物レンズを前記光ディスクに対して駆動する駆動手段と、
前記レーザ光の向きを前記対物レンズに向けて変えると共に前記レーザ光の一部を透過する立ち上げミラーと、
前記光源の光量を制御するために前記立ち上げミラーを透過したレーザ光を検出する検出手段と、
前記光源、前記対物レンズ、前記駆動手段、前記立ち上げミラー、及び前記検出手段を配置する基台と、を備え、
前記基台は所定の貫通領域を持つ貫通部を有し、
前記光源は前記貫通部の貫通領域の外側に配置され、前記駆動手段は前記貫通部の貫通領域内に配置され、前記対物レンズは前記駆動手段により前記貫通部の貫通領域上で保持され、
前記貫通部は、前記対物レンズの下方領域で前記貫通部を横断する梁部を有し、前記立ち上げミラー及び前記検出手段は前記梁部に配置されていることを特徴とする光ディスク装置。
【発明の詳細な説明】
【技術分野】
【０００１】
本発明は、パーソナルコンピュータ、ノートブック型コンピュータ等の電子機器に搭載される光ピックアップ装置及び光ディスク装置に関するものである。
【背景技術】
【０００２】
光ピックアップ装置は、記録や再生の性能向上とともに小型化、薄型化、軽量化が図られてきた。また、製造コストを抑えた低価格化も推し進められてきた。
【０００３】
図９は、従来の光ピックアップ装置の光学系の構成を示す図、図１０は従来の光ピックアップ装置の構成を示す図である。この光ピックアップ装置１００はＤＶＤに対してもＣＤに対しても記録及び再生を行うことができる。
【０００４】
光源１０１は光ディスク１０９に向けてＤＶＤ用のレーザ光またはＣＤ用のレーザ光を出射する。
【０００５】
回折素子１０２は、ＤＶＤ用のレーザ光をそのまま通過させ、ＣＤ用のレーザ光をトラッキング制御に用いられるように３本のレーザ光に分離する回折格子を備える。集積プリズム１０３は、光学機能膜を形成した複数の斜面を内部に有する。集積プリズム１０３は、光源１０１から出射されたレーザ光を光ディスク１０９に向けてほぼそのまま通過させる。集積プリズム１０３は、光ディスク１０９で反射されたレーザ光を光源１０１ではなく、信号用光検出器１１０に向かわせる。さらに、集積プリズム１０３は、ＤＶＤ用のレーザ光とＣＤ用のレーザ光に分離し、ＣＤ用ホログラム１０３ａでＣＤ用のレーザ光をフォーカス制御に用いられる光とトラッキング制御に用いられる光に分離する。
【０００６】
コリメートレンズ１０４は、光源１０１から出射された発散光であるレーザ光を平行光に変換する。光路折り曲げミラー１０５は、光ディスク１０９にほぼ平行な面内でレーザ光を反射させて光路を折り曲げることで光ピックアップ装置１００全体の大きさを小さくする。また、光路折り曲げミラー１０５は、光源の光量を制御するための検出手段である光量制御用光検出器１１１に入射するようにレーザ光の一部を透過させる。立ち上げプリズム１０６は、対物レンズ１０８を挟んで光ディスク１０９と反対側に配置され、光ディスク１０９に対してほぼ平行であったレーザ光をほぼ直角に立ち上げる。
【０００７】
ホログラム素子１０７は１／４波長板１０７ａとＤＶＤ用ホログラム１０７ｂとで構成される。１／４波長板１０７ａは光源１０１から出射された直線偏光のレーザ光を円偏光のレーザ光に変換する。そして、光ディスク１０９で反射された円偏光のレーザ光を往きのレーザ光とは９０°ずれた直線偏光に変換する。ＤＶＤ用ホログラム１０７ｂは、光ディスク１０９で反射されたＤＶＤ用のレーザ光に作用し、フォーカス制御に用いられる光とトラッキング制御に用いられる光を分離する。対物レンズ１０８は光源１０１から出射され、コリメートレンズ１０４で平行光に変換されたレーザ光を光ディスク１０９に集束させる。
【０００８】
信号用光検出器１１０は、光源１０１から出射され光ディスク１０９で反射されたレーザ光を検出し、ＲＦ信号、フォーカス制御用信号、トラッキング制御用信号等に用いられるように電気信号に変換して出力する。光量制御用光検出器１１１は、光源１０１から出射されたレーザ光を検出し、光源１０１の出力の制御に用いられるように電気信号に変換して出力する。
【０００９】
光ピックアップ装置１００において、光源１０１、回折素子１０２、集積プリズム１０３、信号用光検出器１１０は、レーザモジュールとして一体化されて基台１１２に固定される。コリメートレンズ１０４、光路折り曲げミラー１０５、立ち上げプリズム１０６、光量制御用光検出器１１１は、直接または取付部材を介して基台１１２に固定される。対物レンズ１０８、ホログラム素子１０７は、対物レンズ駆動装置１１３に組み込まれて、対物レンズ駆動装置１１３が基台１１２に固定される。
【００１０】
（特許文献１）には、光路折り曲げミラー１０５を省き、立ち上げプリズム１０６を立ち上げミラーとし、光量制御用光検出器１１１を立ち上げミラーを挟んで光源１０１とは反対側に配置する光ピックアップ装置の光学系が示されている。
【特許文献１】特開２００４−３２７０１２号公報
【発明の開示】
【発明が解決しようとする課題】
【００１１】
ところが、光ピックアップ装置を小型で安価に製造しようとする場合、（特許文献１）の光学系の構成のように、光路折り曲げミラーを廃止して光路を折り曲げずに１直線状にすることが１つの方法である。（特許文献１）の光学系において、光量制御用光検出器は立ち上げミラーを挟んで光源とは反対側に配置することが記載されている。光量制御用光検出器は、安定して光源からのレーザ光を検出する必要があり、そのためには基台に固定されることが望ましい。しかし、立ち上げミラーは、実際構成では対物レンズを挟んで光ディスクと反対側に、対物レンズ駆動装置と隣接して配置されており、その中で光量制御用光検出器を配置することには困難が伴う。
【００１２】
本発明は、上記課題を解決するもので、光路折り曲げミラーがなくても成立する小型で安価な光ピックアップ装置及び光ディスク装置を提供することを目的とする。
【課題を解決するための手段】
【００１３】
上記課題を解決するために、本発明は、レーザ光の光源と、前記レーザ光を光ディスクに集束させる対物レンズと、前記対物レンズを前記光ディスクに対して駆動する駆動手段と、前記レーザ光の向きを前記対物レンズに向けて変えると共に前記レーザ光の一部を透過する立ち上げミラーと、前記光源の光量を制御するために前記立ち上げミラーを透過したレーザ光を検出する検出手段と、前記光源、前記対物レンズ、前記駆動手段、前記立ち上げミラー、及び前記検出手段を配置する基台と、を備え、前記基台は所定の貫通領域を持つ貫通部を有し、前記光源は前記貫通部の貫通領域の外側に配置され、前記駆動手段は前記貫通部の貫通領域内に配置され、前記対物レンズは前記駆動手段により前記貫通部の貫通領域上で保持され、前記貫通部は、前記対物レンズの下方領域で前記貫通部を横断する梁部を有し、前記立ち上げミラー及び前記検出手段は前記梁部に配置されていることを特徴とする光ピックアップ装置とした。
【００１４】
貫通部の貫通領域内に駆動手段を配置し、貫通部を横断する梁部を設けて梁部に立ち上げミラー及び検出手段を固定することにより、立ち上げミラーを挟んで光源と反対側に検出手段を配置できるようになった。そのため、実際構成において、光路折り曲げミラーを廃止して検出手段である光量制御用光検出器を配置することが可能となった。
【発明の効果】
【００１５】
光路折り曲げミラーを廃止することができるため、光ピックアップ装置を小型で安価にすることができる。
【発明を実施するための最良の形態】
【００１６】
本発明の請求項１の発明は、レーザ光の光源と、レーザ光を光ディスクに集束させる対物レンズと、対物レンズを光ディスクに対して駆動する駆動手段と、レーザ光の向きを対物レンズに向けて変えると共にレーザ光の一部を透過する立ち上げミラーと、光源の光量を制御するために立ち上げミラーを透過したレーザ光を検出する検出手段と、光源、対物レンズ、駆動手段、立ち上げミラー、及び検出手段を配置する基台と、を備え、基台は所定の貫通領域を持つ貫通部を有し、光源は貫通部の貫通領域の外側に配置され、駆動手段は貫通部の貫通領域内に配置され、対物レンズは駆動手段により貫通部の貫通領域上で保持され、貫通部は、対物レンズの下方領域で貫通部を横断する梁部を有し、立ち上げミラー及び検出手段は梁部に配置されている光ピックアップ装置である。
【００１７】
貫通部の貫通領域内に駆動手段を配置し、貫通部を横断する梁部を設けて梁部に立ち上げミラー及び検出手段を固定することにより、立ち上げミラーを挟んで光源と反対側に検出手段を配置できるようになった。そのため、実際構成において、光路折り曲げミラーを廃止して検出手段である光量制御用光検出器を配置することが可能となる。そのため光ピックアップ装置を小型で安価にすることができる。
【００１８】
また、梁部が貫通部を横断するため、基台の剛性を上げることができる。そのため、基台を薄くすることが可能となり、光ピックアップ装置を薄型にすることができる。
【００１９】
請求項２の発明は、請求項１の発明において、梁部は、その中央部分から光源の側に垂直方向に延びた延長片を有し、中央部分に検出手段の取付部を有し、延長片の先端に立ち上げミラーの取付部を有する光ピックアップ装置である。
【００２０】
検出手段と立ち上げミラーとを１つの梁部に取り付けることができるため、スペースを節約することができ、光ピックアップ装置をより小型にすることができる。
【００２１】
請求項３の発明は、請求項１の発明において、駆動手段は、対物レンズを固定するホルダと、ホルダを一端で弾性支持する弾性部材と、弾性部材の他端を保持する保持部材とを備え、検出手段は、立ち上げミラーと保持部材との間に配置された光ピックアップ装置である。
【００２２】
検出手段を配置するスペースを駆動手段の外側に設ける必要がなく、検出手段を配置するスペースを節約することができ、光ピックアップ装置を小型にすることができる。
【００２３】
請求項４の発明は、請求項１の発明において、検出手段のレーザ光を検出する面は光ディスクに対してほぼ直角な方向である光ピックアップ装置である。
【００２４】
光ピックアップ装置の厚さ方向の寸法を抑制することができ、光ピックアップ装置を薄型にすることができる。
【００２５】
請求項５の発明は、請求項１の発明において、光源と立ち上げミラーとの間の光路上に配置されレーザ光をほぼ平行光にするコリメートレンズを備え、検出手段には平行光であるレーザ光が入射する光ピックアップ装置である。
【００２６】
コリメートレンズで平行光にされ立ち上げミラーを透過したレーザ光は、集光レンズを経ずに検出手段に入射する。集光レンズがないため、光ピックアップ装置を安価にすることができる。
【００２７】
請求項６の発明は、請求項３の発明において、貫通部の外側から検出手段に接続されるフレキシブルプリント基板を備え、フレキシブルプリント基板は、梁部を経由して接続されるとともに、梁部において梁部の光ディスク側の面と弾性部材との間に配置された光ピックアップ装置である。
【００２８】
フレキシブルプリント基板は駆動手段の保持部材部分を経由せずに貫通部の外側から検出手段とつながれるので、光ピックアップ装置を薄型にすることができる。
【００２９】
請求項７の発明は、請求項６の発明において、梁部はスリットを有し、フレキシブルプリント基板の端部をスリットに挿入することで光ディスクと直角な方向にフレキシブルプリント基板が移動するのを規制する光ピックアップ装置である。
【００３０】
フレキシブルプリント基板が動いて、弾性部材と接触する可能性が小さくなるため、光ピックアップ装置の信頼性を上げることができる。
【００３１】
請求項８の発明は、請求項１の発明において、立ち上げミラーのレーザ光を透過する透過率は４％以上、８％以下である光ピックアップ装置である。
【００３２】
検出手段に入射するレーザ光の光量を上げることができるため、集光レンズをなくすことができる。
【００３３】
請求項９の発明は、請求項１の発明において、光源、立ち上げミラー及び検出手段は、ほぼ１直線上に配置された光ピックアップ装置である。
【００３４】
光路折り曲げミラーによって折り曲げられた光路のため、光ピックアップ装置には不要なスペースがあったが、それを除去することができる。
【００３５】
請求項１０の発明は、レーザ光の光源と、レーザ光を光ディスクに集束させる対物レンズと、対物レンズを光ディスクに対して駆動する駆動手段と、レーザ光の向きを対物レンズに向けて変えると共にレーザ光の一部を透過する立ち上げミラーと、光源の光量を制御するために立ち上げミラーを透過したレーザ光を検出する検出手段と、光源、対物レンズ、駆動手段、立ち上げミラー、及び検出手段を配置する基台と、を備え、基台は所定の貫通領域を持つ貫通部を有し、光源は貫通部の貫通領域の外側に配置され、駆動手段は貫通部の貫通領域内に配置され、対物レンズは駆動手段により貫通部の貫通領域上で保持され、貫通部は、対物レンズの下方領域で貫通部を横断する梁部を有し、立ち上げミラー及び検出手段は梁部に配置されている光ディスク装置である。
【００３６】
貫通部の貫通領域内に駆動手段を配置し、貫通部を横断する梁部を設けて梁部に立ち上げミラー及び検出手段を固定することにより、立ち上げミラーを挟んで光源と反対側に検出手段を配置できるようになった。そのため、実際構成において、光路折り曲げミラーを廃止して検出手段である光量制御用光検出器を配置することが可能となった。そのため光ディスク装置を小型で安価にすることができる。
【００３７】
また、梁部が貫通部を横断するため、基台の剛性を上げることができる。そのため、基台を薄くすることが可能となり、光ディスク装置を薄型にすることができる。
【００３８】
（実施の形態１）
本実施の形態１について、図面を参照しながら説明する。図１（ａ）は本実施の形態１の光ピックアップ装置の構成図、図１（ｂ）は本実施の形態１の立ち上げミラー、光量制御用光検出器を配置した基台の拡大図である。図２は本実施の形態１の光ピックアップ装置の光学系を示す図である。本実施の形態１において、光ピックアップ装置３０は、ＤＶＤとＣＤに対して記録または再生の少なくとも一方を行うものとする。しかし、それに限るものではなく、第３の光ディスクに対しても記録または再生の少なくとも一方を行うものとしても良い。
【００３９】
図１（ａ）及び図２において、光源１はＤＶＤ用の波長λ１＝約６５０ｎｍのレーザ光とＣＤ用の波長λ２＝約７８０ｎｍのレーザ光を光ディスク２５に向けて出射する。本実施の形態１において、光源１は、ＤＶＤ用のレーザ光とＣＤ用のレーザ光とが近接した位置から出射されるいわゆる２波長レーザ光源とした。しかし、ＤＶＤ用のレーザ光を出射する光源とＣＤ用のレーザ光を出射する光源とを別々に配置しても良い。また、Ｂｌｕ−ｒａｙ  ＤｉｓｃやＨＤ−ＤＶＤに用いられる波長λ３＝約４０５ｎｍのレーザ光と組み合わせても構わない。
【００４０】
回折素子２は、ＤＶＤ用回折格子２ａとＣＤ用回折格子２ｂとを備え、ＤＶＤ用回折格子２ａとＣＤ用回折格子２ｂとは直列に配置される。ＤＶＤ用のレーザ光の発光位置とＣＤ用のレーザ光の発光位置とは近接しているため、ＤＶＤ用のレーザ光もＣＤ用のレーザ光もＤＶＤ用回折格子２ａ及びＣＤ用回折格子２ｂを通過する。ＤＶＤ用回折格子２ａはＤＶＤ用のレーザ光を回折して、少なくとも０次光及び±１次光に分離して通過させる。分離されたＤＶＤ用のレーザ光の０次光及び±１次光は最終的に信号用光検出器８に入射し、ＤＶＤのトラッキング制御に用いられる。一方、ＤＶＤ用回折格子２ａはＣＤ用のレーザ光をそのまま通過させる。すなわち、ＤＶＤ用回折格子２ａにおいてＣＤ用のレーザ光は０次光及び±１次光には分離されない。ＣＤ用回折格子２ｂはＤＶＤ用のレーザ光をそのまま透過させ、ＣＤ用のレーザ光を回折して少なくとも０次光及び±１次光に分離して通過させる。分離された０次光及び±１次光は最終的に信号用光検出器８に入射し、ＣＤのトラッキング制御に用いられる。ＣＤ用回折格子２ｂにおいてＤＶＤ用のレーザ光は０次光及び±１次光には分離されない。
【００４１】
集積プリズム３は、ＢＫ７等の光学ガラス等で形成された複数のブロックで構成される。斜面３ａ、３ｂはブロックの境界である。斜面３ａには偏光分離膜３ｃが形成されている。偏光分離膜３ｃは、誘電体多層膜で形成される。偏光分離膜３ｃは、往路光である光源１から出射されたＤＶＤ用のレーザ光及びＣＤ用のレーザ光を透過して光ディスク２５に向かわせる。また、偏光分離膜３ｃは、復路光である光ディスク２５で反射されたＤＶＤ用のレーザ光及びＣＤ用のレーザ光を反射して信号用光検出器８に向かわせる。また、斜面３ｂには、反射型の非点収差生成素子３ｄが形成される。非点収差生成素子３ｄは、光軸を含んで直交する２つの断面で焦点距離を異ならせる素子である。すなわち、非点収差生成素子３ｄは、いわゆる円柱レンズ、円筒レンズやその組み合わせ、または円筒反射鏡、円柱反射鏡やその組み合わせ等の働きをする。非点収差生成素子３ｄを通過したレーザ光は信号用光検出器８に入射し、フォーカス制御に用いられる。本実施の形態１において、非点収差生成素子３ｄはフレネルレンズ状の反射ミラーとしたが、回折型の反射ミラーとしても良い。また、非点収差生成素子３ｄは、集積プリズム３の内部に形成したが、集積プリズム３とは別に円柱レンズ、円筒レンズやその組み合わせ、または円筒反射鏡、円柱反射鏡やその組み合わせ等の他の独立した構成としても構わない。
【００４２】
波長板４は、光源１から出射されたＤＶＤ用のレーザ光及びＣＤ用のレーザ光を直線偏光から円偏光に変換する。また、光ディスク２５で反射された円偏光のＤＶＤ用のレーザ光及びＣＤ用のレーザ光を往路光とは９０度ずれた直線偏光に変換する。往路光と復路光とで９０度ずれた直線偏光とすることにより、集積プリズム３の偏光分離膜３ｃで往路光と復路光とを分離することができる。
【００４３】
コリメートレンズ５は、光学ガラスや光学プラスチックで製造される。コリメートレンズ５は、発散光である光源１から出射されたＤＶＤ用のレーザ光及びＣＤ用のレーザ光をほぼ平行光に変換する。
【００４４】
立ち上げミラー６は、それまで光ディスク２５に対してほぼ平行であったＤＶＤ用のレーザ光及びＣＤ用のレーザ光の向きを変えて光ディスク２５に対してほぼ直角に立ち上げる反射ミラーである。立ち上げミラー６の表面にはレーザ光の大半を反射し、一部を透過する膜が形成されている。透過率は、低すぎると光量制御用光検出器９に入射する光量が少なくなり、後述する光源１の光量の制御がうまくいかない。逆に高すぎると、光ディスク２５に入射するレーザ光の光量が小さくなり、再生信号、フォーカス制御用の信号、トラッキング制御用の信号の出力が小さくなってしまう。透過率は本実施の形態１において約６％程度としたが、約４％から約８％の範囲にあることが好ましい。また、立ち上げミラー６の裏面は表面と平行となるようにした。
【００４５】
対物レンズ７は、光ディスク２５にＤＶＤ用のレーザ光及びＣＤ用のレーザ光を集束させる集光レンズである。対物レンズ７は光学ガラスや光学プラスチックで構成される。光ディスク２５はＤＶＤとＣＤとで表面から記録面までの距離が異なる。種類に応じて光ディスク２５の記録面に焦点を結ぶように、対物レンズ７は集光レンズおよびフレネルレンズまたはホログラムレンズの組み合わせ、ＤＶＤ用集光レンズにＣＤ再生時に開口制限手段を設ける組み合わせ等が用いられる。また、光ディスク２５の厚みおよび開口数の違いを吸収するものも使用することができる。
【００４６】
信号用光検出器８は、光源１から出射され光ディスク２５で反射されたＤＶＤ用のレーザ光及びＣＤ用のレーザ光を受光部で受光する。受光部は複数あり、それぞれの受光部が受光した光をその光量に応じた電気信号に変換して出力する。出力された電気信号は、トラッキング制御、フォーカス制御、光ディスク２５に記録された情報の再生等に用いられる。
【００４７】
検出手段である光量制御用光検出器９は、光源１から出射され立ち上げミラー６を透過したＤＶＤ用のレーザ光及びＣＤ用のレーザ光を受光面の受光部で検出する。光量制御用光検出器９は検出した光をその光量に応じた電気信号に変換して出力する。出力された電気信号は、光源１から出射されるＤＶＤ用のレーザ光及びＣＤ用のレーザ光の出力の制御に用いられる。
【００４８】
光ディスク２５は前述の通り、本実施の形態１においてＤＶＤとＣＤとした。しかし、それに限るものではなく、Ｂｌｕ−ｒａｙ  ＤｉｓｃやＨＤ−ＤＶＤを用いても構わない。Ｂｌｕ−ｒａｙ  ＤｉｓｃやＨＤ−ＤＶＤ用に用いられるレーザ光の波長は約４０５ｎｍである。
【００４９】
光源１から出射されたＤＶＤ用のレーザ光及びＣＤ用のレーザ光は、回折素子２、集積プリズム３、波長板４、コリメートレンズ５、立ち上げミラー６、対物レンズ７を経由して光ディスク２５に集束する。また、一部の光は立ち上げミラー６を透過して光量制御用光検出器９に入射する。光ディスク２５で反射されたレーザ光は、対物レンズ７、立ち上げミラー６、コリメートレンズ５、波長板４、集積プリズム３を経由して信号用光検出器８に入射する。
【００５０】
図１（ａ）に示すように、光ピックアップ装置３０は基台１０上に各種部品を配置して構成される。基台１０は、光ピックアップ装置３０の骨組みである。基台１０は、Ｚｎ合金、Ｍｇ合金等の合金材料あるいは硬質樹脂材料で形成されるが、剛性を確保しやすい合金材料が望ましい。基台１０には各種部品を配置するための取付部が所定の箇所に設けられている。
【００５１】
光源１、回折素子２、集積プリズム３、信号用光検出器８は、１つの結合部材に固定され、結合部材が基台１０に固定される。対物レンズ７は、駆動手段である対物レンズ駆動装置１１に搭載されて対物レンズ駆動装置１１が基台１０に固定される。波長板４、コリメートレンズ５、立ち上げミラー６、光量制御用光検出器９は、直接または他の取付部材を介して基台１０に固定される。
【００５２】
図１（ｂ）に示すように、基台１０は、所定の貫通領域１０ｂを持つ貫通部１０ａを有する。図１（ａ）のように、光源１は、貫通部１０ａの貫通領域１０ｂの外側に配置され、対物レンズ駆動装置１１は、この貫通部１０ａの貫通領域１０ｂ内に配置される。したがって、対物レンズ７は対物レンズ駆動装置１１により貫通部１０ａの貫通領域１０ｂ上で保持される。
【００５３】
また、貫通部１０ａは、対物レンズ７の下方領域で貫通部１０ａを横断する梁部１０ｃを有し、立ち上げミラー６及び光量制御用光検出器９は梁部１０ｃに配置される。梁部１０ｃは、その中央部分から光源１の側に垂直方向に延びた延長片１０ｆを有する。中央部分に検出手段である光量制御用光検出器９の取付部１０ｄを有し、延長片１０ｆの先端に立ち上げミラー６の取付部１０ｅを有する。光量制御用光検出器９の取付部１０ｄには、光検出面が光ディスク２５に対して直角になる向きに光量制御用光検出器９が固定される。立ち上げミラー６の取付部１０ｅには、約４５度傾いた状態で立ち上げミラー６が固定される。
【００５４】
貫通部１０ａの貫通領域１０ｂ内に対物レンズ駆動装置１１を配置し、貫通部１０ａを横断する梁部１０ｃを設けて梁部１０ｃに立ち上げミラー６及び光量制御用光検出器９を固定することにより、光量制御用光検出器９を立ち上げミラー６を挟んで光源１と反対側に配置できるようになった。そのため、実際構成において、光路折り曲げミラーを廃止して光量制御用光検出器９を配置することが可能となった。そのため光ピックアップ装置３０を小型で安価にすることができる。
【００５５】
また、梁部１０ｃが貫通部１０ａを横断するため、基台１０の剛性を上げることができる。そのため、基台１０を薄くすることが可能となり、光ピックアップ装置３０を薄型にすることができる。
【００５６】
また、光量制御用光検出器９と立ち上げミラー６とを１つの梁部１０ｃに形成された光量制御用光検出器９の取付部１０ｄと立ち上げミラー６の取付部１０ｅとにそれぞれ取り付けることができる。そのため、スペースを節約することができ、光ピックアップ装置３０をより小型にすることができる。また、光量制御用光検出器９のレーザ光を検出する面は光ディスク２５に対してほぼ直角な方向となるため、光ピックアップ装置３０の厚さ方向の寸法を抑制することができ、光ピックアップ装置３０を薄型にすることができる。
【００５７】
また、本実施の形態１において、立ち上げミラー６と光量制御用光検出器９との間には集光レンズ等は配置せず、コリメートレンズ５で平行光にされたレーザ光を平行光のまま光量制御用光検出器９に入射するようにした。そのため、光ピックアップ装置３０を安価にすることができるとともに、より小型にすることができる。立ち上げミラー６と光量制御用光検出器９との間に集光レンズを配置しても良い。その場合、立ち上げミラー６の透過率を小さくすることができ、光ディスク２５に向かう光量を増やすことができる。
【００５８】
図３は本実施の形態１の基台の貫通部を示す図である。基台１０の貫通部１０ａには、貫通領域１０ｂが設けられている。貫通領域１０ｂ内に対物レンズ駆動装置１１が固定される。貫通領域１０ｂの中央部分に光ディスク２５の半径方向に沿って梁部１０ｃが設けられ、貫通領域１０ｂは梁部１０ｃにより２分割される。梁部１０ｃは貫通部１０ａの下方側（光ディスク２５から遠い側）に設けられている。上方側に設けると、立ち上げミラー６を配置するのが困難となる。また、上下の中央部に設けると、対物レンズ駆動装置１１を配置するのが困難となる。
【００５９】
梁部１０ｃは、中央部分から光源１の側に垂直な方向に延びた延長片１０ｆを有し、延長片１０ｆの先端に立ち上げミラー６の取付部１０ｅを有する。梁部１０ｃの中央部分は抉られており、そこに光量制御用光検出器９が収められる。この抉られた部分は貫通孔としても良い。中央部分の立ち上げミラー６の取付部１０ｅ側の壁面は光ディスク２５と直角な方向に立ち上げるように形成されており、この壁面に光量制御用光検出器９が取り付けられる。光量制御用光検出器９は、接着剤で光量制御用光検出器９の取付部１０ｄに固定される。光量制御用光検出器９の取付部１０ｄの中央部分から立ち上げミラー６の取付部１０ｅの中央部分にかけての延長片１０ｇは抉られており、立ち上げミラー６を透過した光が遮断されることなく光量制御用光検出器９に入射することができるようにしてある。
【００６０】
また、立ち上げミラー６の取付部１０ｅは、立ち上げミラー６が接着剤で固定される線状の盛り上がり部が設けられている。立ち上げミラー６は接着剤で立ち上げミラー６の取付部１０ｅに固定される。盛り上がり部を線状とすることで、立ち上げミラー６の取り付け精度を向上させることができる。また、立ち上げミラー６に発生する応力を小さく抑えることができ、光ディスク２５に入射する光の収差を小さくすることができる。盛り上がり部は立ち上げミラー６が約４５度傾いて取り付けられるよう、約４５度傾けてある。
【００６１】
図４（ａ）は本実施の形態１の対物レンズ駆動装置の上方からの構成図、図４（ｂ）は下方からの構成図である。対物レンズ７は、レンズホルダ１２の貫通部に固定される。対物レンズ７を固定するホルダであるレンズホルダ１２は、樹脂等で形成される。立ち上げミラー６で反射されたレーザ光は、レンズホルダ１２の貫通部を通過して対物レンズ７に入射する。レンズホルダ１２の両端には複数の弾性部材１３の一端が固定される。弾性部材１３は、導電性及び弾性がある金属等で形成される。弾性部材１３の他端は、保持部材１４の両端に固定される。保持部材１４は、対物レンズ駆動装置１１のベースとなるヨーク１５に固定される。このようにして、対物レンズ７を搭載したレンズホルダ１２は弾性部材１３によって光ディスク２５のフォーカス方向及びトラッキング方向に移動可能に支持される。
【００６２】
ヨーク１５は、磁性材料であり、また、磁石１７を固定している。また、レンズホルダ１２は、磁石１７と近接する位置にフォーカスコイル１８、トラッキングコイル１９を固定している。弾性部材１３の一端側はフォーカスコイル１８またはトラッキングコイル１９と電気的に接続されている。弾性部材１３の他端側はフレキシブルプリント基板１６につながれている。フレキシブルプリント基板１６から弾性部材１３を通してフォーカスコイル１８、トラッキングコイル１９に電流が流されることで、レンズホルダ１２をフォーカス方向、トラッキング方向に移動する駆動力が生成される。
【００６３】
磁石１７、フォーカスコイル１８、トラッキングコイル１９は、対物レンズ７の周辺に配置されるが、光ディスク２５の円周の接線方向に沿ってスペースを空けてあり、光源１から出射されたレーザ光が通過できるようにしてある。また、ヨーク１５もレーザ光が通過できるように切り欠いてある。さらにヨーク１５はレンズホルダ１２側と保持部材１４側とを上方側からつないでいる。光量制御用光検出器９は、レンズホルダ１２側と保持部材１４側との間に配置される。ヨーク１５が光量制御用光検出器９の上方側にあるので、ヨーク１５と光量制御用光検出器９とは接触することなく配置される。
【００６４】
図５は本実施の形態１の対物レンズ駆動装置を基台に取り付ける様子を示す図である。基台１０の梁部１０ｃの光量制御用光検出器９の取付部１０ｄには光量制御用光検出器９が固定されている。また、立ち上げミラー６の取付部１０ｅには立ち上げミラー６が固定されている。上方から対物レンズ駆動装置１１が、基台１０の貫通部１０ａの貫通領域１０ｂに固定される。その際、立ち上げミラー６は対物レンズ７の下方に配置される。光量制御用光検出器９は、立ち上げミラー６と保持部材１４との間の領域に配置される。対物レンズ駆動装置１１の立ち上げミラー６及び光量制御用光検出器９が収められる部分はスペースが設けてあるため、立ち上げミラー６、光量制御用光検出器９は対物レンズ駆動装置１１とは接触しない。
【００６５】
このように光量制御用光検出器９を配置するスペースを対物レンズ駆動装置１１の外側に設ける必要がなく、光量制御用光検出器９を配置するスペースを節約することができる。そのため光ピックアップ装置３０を小型にすることができる。
【００６６】
図６（ａ）は本実施の形態１の光量制御用光検出器用のフレキシブルプリント基板の引き回しを示す図、図６（ｂ）は対物レンズ駆動装置を組み込んだ場合の図、図６（ｃ）はＡＡ断面図である。
【００６７】
光量制御用光検出器９に用いられるフレキシブルプリント基板２０は、光量制御用光検出器９と接続され、光量制御用光検出器９からの出力信号を外部に伝える役割を果たす。フレキシブルプリント基板２０は、光量制御用光検出器９から梁部１０ｃの一方の上面側に沿って基台１０の貫通部１０ａの貫通領域１０ｂを外部に向かうように配置される。フレキシブルプリント基板２０は、貫通領域１０ｂの外縁部で折り曲げられ、壁面に沿って基台１０の上面側に至るように配置される。フレキシブルプリント基板２０はさらに基台１０の上面側で折り曲げられ、基台１０の上面側に沿って配置されて外部に向かう。
【００６８】
フレキシブルプリント基板２０は対物レンズ駆動装置１１の保持部材１４部分を経由せずに貫通部１０ａの外側から光量制御用光検出器９とつながれるので、光ピックアップ装置３０を薄型にすることができる。
【００６９】
対物レンズ駆動装置１１が配置されると、フレキシブルプリント基板２０は弾性部材１３の下面側を通過する。弾性部材１３は、対物レンズ７をフォーカス方向に移動させるために、上下方向に振れる。そのため、フレキシブルプリント基板２０が梁部１０ｃから浮いた状態に配置されると、フレキシブルプリント基板２０と弾性部材１３とが接触する恐れがある。そこで、基台１０の梁部１０ｃにスリット１０ｇを設け、スリット１０ｇにフレキシブルプリント基板２０の端部を挿入することで、スリット１０ｇは光ディスク２５の直角な方向にフレキシブルプリント基板２０が移動するのを規制する。フレキシブルプリント基板２０が動いて、弾性部材１３と接触する可能性が小さくなるため、光ピックアップ装置３０の信頼性を上げることができる。
【００７０】
以上のような構成とすることで、光ピックアップ装置３０は、光源１、立ち上げミラー６及び光量制御用光検出器９は、ほぼ１直線上に配置されることになる。光路折り曲げミラーがある場合、光路折り曲げミラーによって光路が折り曲げられる。そのため、光ピックアップ装置３０には、光源１、光路折り曲げミラー、立ち上げミラー６によって形成される三角形のスペースが生まれる。このスペースは不要なスペースであったが、光源１、立ち上げミラー６及び光量制御用光検出器９をほぼ１直線上に配置することで、それを除去することができる。
【００７１】
以上のように、本実施の形態１の光ピックアップ装置３０は、貫通部１０ａの貫通領域１０ｂ内に駆動手段である対物レンズ駆動装置１１を配置した。そして貫通部１０ａを横断する梁部１０ｃを設けて梁部１０ｃに立ち上げミラー６及び検出手段である光量制御用光検出器９を固定した。そのことにより立ち上げミラー６を挟んで光源１と反対側に光量制御用光検出器９を配置できるようになった。そのため、実際構成において、光路折り曲げミラーを廃止して光量制御用光検出器９を配置することが可能となった。そのため光ピックアップ装置３０を小型で安価にすることができる。
【００７２】
また、梁部１０ｃが貫通部１０ａを横断するため、基台１０の剛性を上げることができる。そのため、基台１０を薄くすることが可能となり、光ピックアップ装置３０を薄型にすることができる。
【００７３】
（実施の形態２）
本実施の形態２について図面を参照しながら説明する。図７は本実施の形態２の光ピックアップモジュールの構成図、図８は本実施の形態２の光ディスク装置の構成図である。
【００７４】
図７において、光ディスク２５を回転駆動する回転駆動部及び光ピックアップ装置３０を回転駆動部に対して近づけたり離したりする移動部を備える光ディスク装置７０の駆動機構を光ピックアップモジュール５０という。ベース５１は光ピックアップモジュール５０の骨組みを成すもので、光ピックアップモジュール５０はベース５１に直接または間接に各構成部品が配置されて構成される。
【００７５】
回転駆動部は光ディスク２５を載置するターンテーブル５２ａを有するスピンドルモータ５２を備えている。スピンドルモータ５２はベース５１に固定される。スピンドルモータ５２は光ディスク２５を回転させる回転駆動力を生成する。
【００７６】
移動部はフィードモータ５３、スクリューシャフト５４、ガイド軸５５、５６を備えている。フィードモータ５３はベース５１に固定される。フィードモータ５３は光ピックアップ装置３０が光ディスク２５の内周と外周の間を移動するために必要な回転駆動力を生成する。フィードモータ５３としてステッピングモータ、ＤＣモータなどが使用される。スクリューシャフト５４はらせん状に溝が掘られており、直接または数段のギアを介してフィードモータ５３に接続される。本実施の形態２では直接フィードモータ５３と接続される。ガイド軸５５、５６はそれぞれ両端でガイド軸保持部材を介してベース５１に固定される。ガイド軸５５、５６は光ピックアップ装置３０を移動自在に支持する。光ピックアップ装置３０はスクリューシャフト５４の溝と噛み合うガイド歯を有するラック２３を備える。ラック２３がスクリューシャフト５４に伝達されたフィードモータ５３の回転駆動力を直線駆動力に変換するために光ピックアップ装置３０は光ディスク２５の内周と外周の間を移動することができる。
【００７７】
なお、回転駆動部は光ディスク２５を所定の回転数で回転させることができる構成であれば、本実施の形態２で説明した構成に限るものではない。また移動部は光ピックアップ装置３０を光ディスク２５の内周と外周の間の所定の位置に移動させることができる構成であれば、本実施の形態２で説明した構成に限るものではない。
【００７８】
光ピックアップ装置３０は図１（ａ）の構成にカバー２１，２２を取り付けたものである。光ピックアップ装置３０は、レーザ光の光源１と、レーザ光を光ディスク２５に集束させる対物レンズ７と、対物レンズ７を光ディスク２５に対して駆動する駆動手段である対物レンズ駆動装置１１とを備える。また、レーザ光の向きを対物レンズ７に向けて変えると共にレーザ光の一部を透過する立ち上げミラー６と、光源１の光量を制御するために立ち上げミラー６を透過したレーザ光を検出する検出手段である光量制御用光検出器９とを備える。また、光源１、対物レンズ７、対物レンズ駆動装置１１、立ち上げミラー６、及び光量制御用光検出器９を配置する基台１０を備える。基台１０は所定の貫通領域１０ｂを持つ貫通部１０ａを有する。光源１は貫通部１０ａの貫通領域１０ｂの外側に配置され、対物レンズ駆動装置１１は貫通部１０ａの貫通領域１０ｂ内に配置される。対物レンズ７は対物レンズ駆動装置１１により貫通部１０ａの貫通領域１０ｂ上で保持される。貫通部１０ａは、対物レンズ７の下方領域で貫通部１０ａを横断する梁部１０ｃを有し、立ち上げミラー６及び光量制御用光検出器９は梁部１０ｃに配置されている。
【００７９】
貫通部１０ａの貫通領域１０ｂ内に対物レンズ駆動装置１１を配置し、貫通部１０ａを横断する梁部１０ｃを設けて梁部１０ｃに立ち上げミラー６及び光量制御用光検出器９を固定することにより、光量制御用光検出器９を立ち上げミラー６を挟んで光源１と反対側に配置できるようになった。そのため、実際構成において、光路折り曲げミラーを廃止して光量制御用光検出器９を配置することが可能となった。そのため光ピックアップ装置３０は小型で安価なものである。
【００８０】
また、梁部１０ｃが貫通部１０ａを横断するため、基台１０の剛性を上げることができる。そのため、基台１０を薄くすることが可能となった。そのため光ピックアップ装置３０は薄型でもある。
【００８１】
光ピックアップ装置３０の対物レンズ７から出射されるレーザ光が光ディスク２５に対し直角に入射するように、ガイド軸保持部材を構成する調整機構でガイド軸６５、６６の傾きを調整する。
【００８２】
図８において、筐体７１は上部筐体７１ａと下部筐体７１ｂを組み合わせてネジなどを用いて互いに固定して構成されている。トレイ７２は筐体７１に出没自在に設けられている。トレイ７２はカバー５７を取り付けた光ピックアップモジュール５０を下面側から配置する。カバー５７は開口を有し、光ピックアップ装置３０の対物レンズ７及びスピンドルモータ５２のターンテーブル５２ａを露出させる。さらに本実施の形態２の場合、フィードモータ５３も露出させて、カバー５７の厚さの分だけ光ピックアップモジュール５０の厚さが薄くなるようにしている。トレイ７２は開口を有し、対物レンズ７及びスピンドルモータ５２のターンテーブル５２ａ、カバー５７の少なくとも一部を露出させる。ベゼル７３はトレイ７２の前端面に設けられて、トレイ７２が筐体７１内に収納された時にトレイ７２の出没口を塞ぐように構成されている。ベゼル７３にはイジェクトスイッチ７４が設けられ、イジェクトスイッチ７４を押すことで、筐体７１とトレイ７２との係合が解除され、トレイ７２は筐体７１に対し出没が可能な状態となる。レール７５はそれぞれトレイ７２の両側部及び筐体７１の双方に摺動自在に取り付けられる。筐体７１内部やトレイ７２内部には図示していない回路基板があり、信号処理系のＩＣや電源回路などが搭載されている。外部コネクタ７６はコンピュータ等の電子機器に設けられた電源／信号ラインと接続される。そして、外部コネクタ７６を介して光ディスク装置７０内に電力を供給したり、あるいは外部からの電気信号を光ディスク装置７０内に導いたり、あるいは光ディスク装置７０で生成された電気信号を電子機器などに送出する。
【００８３】
本実施の形態２において、光ピックアップ装置３０は、小型で安価である。さらに薄型でもある。そのため光ディスク装置７０も小型で安価かつ薄型にすることができる。
【産業上の利用可能性】
【００８４】
以上のように本発明の光ピックアップ装置及び光ディスク装置は、光路折り曲げミラーがなくても成立し、小型で安価である。そのため、パーソナルコンピュータ、ノートブック型コンピュータ等の電子機器に好ましく搭載される。
【図面の簡単な説明】
【００８５】
【図１】（ａ）本実施の形態１の光ピックアップ装置の構成図、（ｂ）本実施の形態１の立ち上げミラー、光量制御用光検出器を配置した基台の拡大図
【図２】本実施の形態１の光ピックアップ装置の光学系を示す図
【図３】本実施の形態１の基台の貫通部を示す図
【図４】（ａ）本実施の形態１の対物レンズ駆動装置の上方からの構成図、（ｂ）下方からの構成図
【図５】本実施の形態１の対物レンズ駆動装置を基台に取り付ける様子を示す図
【図６】（ａ）本実施の形態１の光量制御用光検出器用のフレキシブルプリント基板の引き回しを示す図、（ｂ）対物レンズ駆動装置を組み込んだ場合の図、（ｃ）ＡＡ断面図
【図７】本実施の形態２の光ピックアップモジュールの構成図
【図８】本実施の形態２の光ディスク装置の構成図
【図９】従来の光ピックアップ装置の光学系の構成を示す図
【図１０】従来の光ピックアップ装置の構成を示す図
【符号の説明】
【００８６】
１    光源
２    回折素子
２ａ    ＤＶＤ用回折格子
２ｂ    ＣＤ用回折格子
３    集積プリズム
３ａ、３ｂ    斜面
３ｃ    偏光分離膜
３ｄ    非点収差生成素子
４    波長板
５    コリメートレンズ
６    立ち上げミラー
７    対物レンズ
８    信号用光検出器
９    光量制御用光検出器
１０    基台
１０ａ    貫通部
１０ｂ    貫通領域
１０ｃ    梁部
１０ｄ、１０ｅ    取付部
１０ｆ    延長片
１０ｇ    スリット
１１    対物レンズ駆動装置
１２    レンズホルダ
１３    弾性部材
１４    保持部材
１５    ヨーク
１６    フレキシブルプリント基板
１７    磁石
１８    フォーカスコイル
１９    トラッキングコイル
２０    フレキシブルプリント基板
２１、２２    カバー
２３    ラック
２５    光ディスク
３０    光ピックアップ装置
５０    光ピックアップモジュール
５１    ベース
５２    スピンドルモータ
５３    フィードモータ
５４    スクリューシャフト
５５、５６    ガイド軸
５７    カバー
７０    光ディスク装置
７１    筐体
７１ａ    上部筐体
７１ｂ    下部筐体
７２    トレイ
７３    ベゼル
７４    イジュクトスイッチ
７５    レール
７６    外部コネクタ
【図１】
2008198258.tif 000003
【図２】
2008198258.tif 000004
【図３】
2008198258.tif 000005
【図４】
2008198258.tif 000006
【図５】
2008198258.tif 000007
【図６】
2008198258.tif 000008
【図７】
2008198258.tif 000009
【図８】
2008198258.tif 000010
【図９】
2008198258.tif 000011
【図１０】
2008198258.tif 000012